(57)【要約】レンズブロックからレンズをデブロックする方法および装置が提供され、流体通路はレンズブロックを通り、レンズが隣接して取り付けられるレンズ取り付け面まで設けられている。加圧流体が流体通路に導入され、これによってレンズ取り付け接着剤とレンズ取り付け面との間の界面に運ばれる。この装置は、レンズブロックと、このレンズブロックを収容するレセプタクルと、この装置にレンズブロックを固定するクランプと、流体源からレンズブロックの通路まで加圧流体を供給するポンプとを有する。レンズブロックはまた、このレンズブロックに埋め込まれた埋め込みＲＦＩＤタグと、当該レンズブロックの支配力と前記レンズとの間に取り付けられる流体圧力応答ピストンとを有することができる。
2004538169.tif 000002
【特許請求の範囲】
【請求項１】
眼用レンズが装着されるレンズブロックであって、ベースを有する本体と、前記ベースの反対側のレンズ支持面と、前記本体を貫いて延在し、前記レンズ支持面に流体を導く少なくとも１つの通路とを具えたことを特徴とするレンズブロック。
【請求項２】
前記レンズブロックをデブロック装置に固定するためのクランプ手段に係合する係合手段をさらに具え、
この係合手段は前記本体を少なくとも部分的に取り囲み、かつ前記ベースとほぼ平行な溝であることを特徴とする請求項１に記載のレンズブロック。
【請求項３】
前記通路は、前記ベースと前記レンズ支持面との間に延在し、
前記レンズブロックは、少なくとも紫外線領域の波長を含む光に対して透過する材料からなることを特徴とする請求項１に記載のレンズブロック。
【請求項４】
前記通路は、前記ベースと前記レンズ支持面との間に延在していることを特徴とする請求項２に記載のレンズブロック。
【請求項５】
レンズブロックを収容するレセプタクルと、
前記レンズブロックに係合して前記レンズブロックを前記レセプタクルに固定する解除可能なクランプ手段と、
前記レンズブロックの流体通路と合致する流体出口と、
デブロック流体を受け入れるポンプ入口を有し、前記流体出口に流体を導いて加圧流体を前記流体出口に供給するポンプと、
前記流体出口への前記デブロック流体の流れを制御する流体コントローラと
を具えたことを特徴とするデブロック装置。
【請求項６】
デブロック中に前記レンズブロックに取り付けられたレンズを保護するために装着され、かつ前記レンズブロックの設置および取り外しを可能とする開放位置と、オペレータを前記レンズおよび前記デブロック流体から遮蔽する閉鎖位置との間を移動可能なカバーと、
このカバーを解除可能に前記閉鎖位置に固定する掛け金と、
前記流体出口と前記流体通路の入口との間のシールをもたらす流体シールと
をさらに有することを特徴とする請求項５に記載のデブロック装置。
【請求項７】
前記シールドは前記クランプ手段に操作可能に係合し、このシールドが前記開放位置から前記閉鎖位置へと移動するように前記クランプ手段を解除位置と係合位置との間を動かし、
前記シールドは、前記レンズブロックから離れる前記レンズの変位を制限するため、前記閉鎖位置にて前記レンズに合致するレンズ緩衝器を有することを特徴とする請求項６に記載のデブロック装置。
【請求項８】
前記クランプ手段は、前記ハウジングおよび前記レセプタクルの一方に連結され、前記レンズブロックの溝と合致する内側に突出する突起を持った少なくとも１つの可動ジョーを有し、
前記それぞれ少なくとも１つのジョーは、前記カバーの対応するカム面に係合するカム面を有し、前記閉鎖位置に向けて付勢される前記カバーに応じて前記ジョーが前記突起を前記溝に向けて付勢することを特徴とする請求項７に記載のデブロック装置。
【請求項９】
前記突起および前記くぼみは、前記突起が前記くぼみに付勢されるように、前記レンズブロックが前記レセプタクルに向けて付勢される対応するテーパ面が設けられていることを特徴とする請求項８に記載のデブロック装置。
【請求項１０】
前記デブロック流体が水であり、
前記ポンプは空気圧で操作可能であり、
前記ポンプが前記流体出口に脈動水を供給し、
前記流体コントローラが前記ポンプに対する加圧空気の流れを制御する弁である
ことを特徴とする請求項９に記載のデブロック装置。
【請求項１１】
前記レンズブロックが前記レンズ取り付け面に延在すると共に前記流体出口を取り囲む溝を有することを特徴とする請求項４に記載のレンズブロック。
【請求項１２】
そこに埋設され、前記レンズブロックに取り付けられるレンズに関するコード化された情報をもたらす識別タグをさらに有することを特徴とする請求項１１に記載のレンズブロック。
【請求項１３】
前記タグがＲＦＩＤ（「無線識別」）タグであることを特徴とする請求項１２に記載のレンズブロック。
【請求項１４】
レンズ表面仕上げ機械のチャックに対する前記レンズブロックの位置合わせのための位置合わせ指標をさらに有することを特徴とする請求項１３に記載のレンズ取り付けブロック。
【請求項１５】
デブロック中に前記レンズおよび前記デブロック流体からオペレータを遮蔽するためのシールドをさらに有することを特徴とする請求項５に記載の装置。
【請求項１６】
(i) 加圧流体をレンズブロックを介してレンズブロックのレンズ取り付け面と前記レンズとの間の接着剤界面および前記レンズに供給するステップを具えたことを特徴とするレンズをレンズブロックからデブロックする方法。
【請求項１７】
前記デブロック流体が水であり、
(ii)  前記レンズに隣接する緩衝器を取り付け、デブロック中に前記レンズブロックから離れる前記レンズの動きを制限するステップと、
(iii) デブロック中に前記レンズブロックおよび前記レンズを遮蔽するステップと
をさらに有することを特徴とする請求項１６に記載の方法。
【請求項１８】
(i) 圧力流体を前記レンズと前記レンズブロックとの間に取り付けた流体圧力応答ピストンに供給し、レンズが前記レンズブロックから離れるように付勢することをピストンにもたらすステップ
を具えたことを特徴とするレンズをレンズブロックからデブロックする方法。
【請求項１９】
前記デブロック流体が水であり、
(ii)  前記レンズに隣接する緩衝器を取り付け、デブロック中に前記レンズブロックから離れる前記レンズの動きを制限するステップと、
(iii) デブロック中に前記レンズブロックおよび前記レンズを遮蔽するステップと
をさらに有することを特徴とする請求項１８に記載の方法。
【請求項２０】
前記通路は、前記レンズ支持面に直近するピストンを摺動するように収容し、前記ピストンは、前記レンズ支持面から突出するように流体圧により前記通路内を軸線方向に移動可能であることを特徴とする請求項１から請求項４の何れかに記載のレンズブロック。
【請求項２１】
前記ピストンは、前記レンズブロックと反対側を向くレンズ取り付け面を有し、
前記ピストンは、前記レンズ取り付け面が前記レンズ支持面とほぼ同一面となる格納位置を有することを特徴とする請求項２０に記載のレンズブロック。
【請求項２２】
前記ピストンは、レンズ縁取りまたは別な次の位置合わせ作業のためのレンズの位置合わせを示す位置合わせ指標を有し、
前記ピストンおよびこのピストンが臨む前記通路は、前記ピストンを前記レンズブロック内で軸線方向に位置合わせするように形成されていること
を特徴とする請求項２１に記載のレンズブロック。
【請求項２３】
前記形成は、前記ピストンおよび前記通路が固定された軸線方向の向きに相互に合致するように、それぞれ形作られていることを特徴とする請求項２２に記載のレンズブロック。
【請求項２４】
前記レンズブロックは透明であるというよりはむしろ半透明であり、影を減らすためにこれに取り付けられるレンズの硬化中にこれを通る少なくとも一部の光の拡散をもたらすことを特徴とする請求項３，請求項４，請求項１１から請求項１４，請求項２０から請求項２３の何れかに記載のレンズブロック。
【請求項２５】
前記半透明性は、前記レンズブロックの表面処理により得られることを特徴とする請求項２４に記載のレンズブロック。
【請求項２６】
前記レンズブロックは、これに取り付けられるレンズの硬化中にこれを通る光の強度の均一性を均すため、少なくとも前記ベースに光学的特徴を有することを特徴とする請求項３，請求項４，請求項１１から請求項１４，請求項２０から請求項２３の何れかに記載のレンズブロック。
【請求項２７】
前記光学的特徴がフレネルレンズと前記ベースに形成される単純なレンズとからなるグループから選択される構成要素であることを特徴とする請求項２６に記載のレンズブロック。
【請求項２８】
眼用レンズが装着されるレンズブロックであって、
ベースおよびこのベースの反対側のレンズ支持面を有する本体を具え、
前記ブロックは、少なくとも紫外線領域内の波長を持つ光を透過する材料からなり、
前記レンズブロックは、これに取り付けられるレンズの硬化中にこれを通する光の強度の均一性を均すため、少なくとも前記ベースに光学的特徴を有することを特徴とするレンズブロック。
【請求項２９】
前記光学的特徴がフレネルレンズ形状と単純なレンズ形状と半透明性とからなるグループから選択される少なくとも１つの構成要素を有することを特徴とする請求項２８に記載のレンズブロック。
【請求項３０】
前記半透明性が前記レンズブロックの表面処理によりなされていることを特徴とする請求項２９に記載のレンズブロック。
【請求項３１】
眼用レンズをレンズブロックに装着するためのレンズブロックであって、
前記レンズブロックはＲＦ透過性であり、
前記レンズブロックは埋め込みＲＦＩＤタグを有することを特徴とする。
【発明の詳細な説明】
【技術分野】
【０００１】
この発明は、レンズ表面仕上げ作業中の支持のためにレンズブロックに対する眼用レンズブランクおよび眼用レンズの取り付けおよびレンズ表面仕上げ後にレンズブロックからのレンズの取り外しに概ね関する。
【背景技術】
【０００２】
レンズブランクをレンズブロックに接合する伝統的な方法は、ワックスの如き溶融可能な接合物質の使用によるものである。ワックスは手頃で実用的な接合剤であるが、その使用に関して不利益がある。ワックスは、その注入時およびその除去時共に汚損する傾向がある。ワックスは、レンズブランクに残留物を残す傾向があり、凝固するためにかなりの時間（ほぼ１５分）充分冷却する必要があり、レンズに加えられた熱および凝固処理に関連した応力は、関連する歪みのために光学的欠陥を製品レンズにもたらす可能性がある。
【０００３】
つい最近、熱硬化と言うよりは紫外線（「ＵＶ」）および可視光を露光することによって硬化可能なレンズブロッキングのための接着化合物が開発された。このようなＵＶ硬化性化合物は、ワックスと比較すると有益な特性を有するけれども、しかしながら、これらは剥離に関してそれら自身に難題を与えている。これらの化合物の多くは、デブロックのために接着剤を軟化させるのを助ける溶剤に反応する薬剤を含んでいる。しかしながら、このような薬剤は、これらがデブロックをもたらすために一般的に言ってかなりの時間を必要とするので、望ましくない。また、このような薬剤は、レンズ表面仕上げ作業で用いられる液体潤滑剤の影響を受ける可能性がある。
【０００４】
ワックスで取り付けられたレンズをデブロックするための一般的な方法は、レンズブロックを収容し、かつレンズの周囲と係合する円筒状のチューブにレンズを置くことである。次に、このチューブは、堅い面に対し、この面と反対側のレンズブロックと共に打ち当てられる。チューブは前記面の方へのレンズの移動を妨げると同時に、これがレンズから分離するようなレンズブロックの運動を可能にする。
【発明の開示】
【発明が解決しようとする課題】
【０００５】
レンズが取り付けられるＵＶ化合物をデブロックするための従来のデブロック方法においてチューブを使用することは、接着力が過度に大きくない限り、うまく行く可能性があるけれども、適切な運動量を与えるのにブロックが不十分な質量しかない場合に問題が起こる。従来のブロックは、一般的に金属性のものであった。ＵＶ硬化性化合物を硬化するため、ＵＶ透過プラスチックレンズブロックを使用することが望ましい。プラスチックレンズブロックは、当然、同様な寸法の金属のものよりも著しく少ない質量を有しよう。
【０００６】
デブロック力を与えるためにレンズ支持体の慣性力に依存せずに迅速なデブロックを可能にするデブロック装置（「デブロッカ」）および方法を提供することが本発明の目的である。
【０００７】
ＵＶ硬化性化合物の均一な硬化をもたらすＵＶ硬化性レンズ取り付け化合物を使用するためのレンズブロックを提供することが本発明のさらなる目的である。
【０００８】
レンズブロックに埋設されたＲＦＩＤタグの使用を可能にする無線透過レンズブロックを提供することが本発明のさらなる目的である。
【課題を解決するための手段】
【０００９】
眼用レンズを装着するためのレンズブロックが提供される。このレンズブロックは、ベースを持った本体と、ベースの反対側のレンズ支持面と、このブロックをデブロック装置に固定するためのクランプ手段に係合する係合手段とを有する。少なくとも１つの通路が本体を通って延在し、レンズ支持面に流体を介して連通する。このブロックは、レンズブロッキングにおいて使用する放射線硬化型化合物を硬化するためにふさわしい波長を持つ放射線透過材料からなる。
【００１０】
係合手段は、ベースとほぼ平行に本体を少なくとも部分的に取り囲む溝であって良い。
【００１１】
一実施形態において、通路はベースとレンズ支持面との間に延在している。
【００１２】
レンズブロックを収容するレセプタクルを持ったハウジングを有するデブロック装置が設けられている。解除可能なクランプ手段は、レンズブロックをレセプタクルに固定するため、レンズブロックに係合するようにハウジングと連係する。この装置は、レンズブロックの流体通路入口と合致する流体出口を有する。この装置は、デブロック流体を入れるポンプ入口を持ったポンプをさらに有し、このポンプは流体出口と流体を介して連通し、この出口に加圧流体を供給する。流体出口へのデブロック流体の流れを制御する流体コントローラが設けられ、流体出口と流体通路入口との間のシールをもたらす流体シールが設けられている。
【００１３】
デブロック装置は、ハウジングに装着され、ブロックに取り付けられたレンズをデブロック中に保護するためのカバーを好ましくは有し、このカバーは、レンズブロックの設置および取り外しを可能とする開放位置と、オペレータをレンズおよびデブロック流体から保護する閉鎖位置との間を移動可能である。カバーを閉鎖位置に対して解除可能に固定する掛け金が設けられている。
【００１４】
カバーは、このカバーが開放位置から閉鎖位置へと動かされるように、クランプ手段に操作可能に係合可能であり、クランプ手段を解除位置から係合位置へと動かす。カバーは、レンズブロックから離れるレンズの変位を制限するため、閉鎖形態におけるレンズと合致するレンズ緩衝器を好ましくは有する。
【００１５】
クランプ手段は、ハウジングおよびレセプタクルの一方に回動可能に連結され、レンズブロックの溝と合致する内側に突出した突起を持つ少なくとも１つの横方向に揺動可能なジョーを有することができる。各ジョーは、ジョーが閉鎖位置に向けて付勢されるカバーに応じて突起を溝に向けて付勢させるように、カバーの対応するカム面と合致するカム面を有することができる。
【００１６】
突起およびくぼみに対応するテーパ面を設けることができ、突起がくぼみに付勢されるように、レンズブロックがレセプタクルに向けて付勢される。
【００１７】
デブロック流体が水であって良い。ポンプは空気圧で使用可能であって良く、このポンプは流体出口に脈動水をもたらすことができる。流体コントローラは、ポンプに対する加圧空気の流れを制御する弁であって良い。
【００１８】
レンズブロックは、レンズ取り付け面に延在して流体出口を取り囲む溝を有することができる。
【００１９】
レンズブロックに取り付けられたレンズに関するコード化された情報を与える識別タグをレンズブロックに埋め込むことができ、この情報はレンズブロックを介して伝えられる。
【００２０】
識別タグはＲＦＩＤ（「無線識別タグ」）タグであって良い。
【００２１】
レンズブロックは、レンズ創成機械のチャックに対するレンズブロックの整列のための位置合わせ指標を有することができる。
【００２２】
通路は、レンズ支持面の直近にあるピストンが摺動するように収容可能であり、このピストンは通路内の流体圧によって軸線方向に変位可能であり、レンズ支持面から突出する。
【００２３】
ピストンは、レンズブロックと反対側を向き、ピストンの格納位置にてレンズ支持面とほぼ同一平面となるレンズ取り付け面を有することができる。
【００２４】
ピストンは、レンズおよびピストンの向きを示すための整列指標を有することができ、このピストンが臨む通路は、ピストンがレンズブロック内で軸線方向に位置合わせするように形成可能である。
【００２５】
ピストンをレンズブロック内で軸線方向に位置合わせする形状は、ピストンおよび通路が固定された軸線方向の位置合わせにおいて相互に合致するようにそれぞれ形成することによって可能である。
【００２６】
レンズブロックはまた、ＵＶ硬化型化合物に対する光強度の均一性を改善するため、その底面に形成されたフレネルレンズの如き光学的特徴を有することも可能である。
【００２７】
レンズブロックは、透明というよりはむしろ半透明であってよく、影を減らすためにこれに取り付けられるレンズの硬化中にこれを通る光の一部を少なくとも拡散させる。
【００２８】
半透明性は、レンズブロックの表面面仕上げによって得ることができる。
【００２９】
(i) 加圧流体をレンズブロックを通してレンズブロックのレンズ取り付け面とレンズ取り付け面にレンズを固定する接着剤との間の界面に供給するステップ
を具えたレンズをブロックからデブロックする方法が提供される。
【００３０】
レンズをレンズブロックからデブロックする方法は、
(ii)  加圧流体をレンズとレンズブロックとの間に取り付けられた流体圧応答ピストンに供給し、ピストンがレンズブロックから離れるようにレンズ付勢するステップを具えている。
【００３１】
何れの方法においてもデブロック流体が水であってよく、この方法は
(iii) デブロック中にレンズブロックから離れるレンズの移動を制限するためにレンズに隣接する緩衝器を取り付けるステップと、
(iv)  デブロック中にレンズブロックおよびレンズを遮蔽するステップと
をさらに有することができる。
【発明を実施するための最良の形態】
【００３２】
本発明の好ましい実施形態が添付図面を参照して以下に記述される。
【００３３】
本発明によるデブロッカが添付図面の参照記号１０によって概ね示されている。デブロッカ１０と共に用いられるレンズブロックが参照記号１００によって概ね示されている。
【００３４】
レンズブロック１００は、ベース１０４を持った本体１０２と、ベース１０４と反対側のレンズ支持面１０６と、本体１０２の周りに延在する溝１０８形状の係合手段とを有する。溝１０８は、より詳細に以下に記述される方法でデブロッカ１０のクランプ手段と係合する。
【００３５】
流体通路１１０がブロック１００の本体１０２を貫いて延在し、ブロック１００を貫通してレンズ支持面１０６へと至る流体通路をもたらす。例示された形態における流体通路１１０は、ベース１０４とレンズ支持面１０６との間に延在している。しかしながら、これはデブロッカ１０の流体出口と合致する通路１１０への流体入口をもたらす以外に必須ではないことが理解されよう。従って、ベース１０４を通らずに通路１１０への流体入口をもたらすように、ブロック１００とデブロッカ１０とを形状変更することができる可能性がある。
【００３６】
レンズブロック１００は、このブロックをレンズ表面仕上げ機械のチャックと回転位相を合わせるため、ベースの周囲の穴１２０または平坦部１２２の如き位置決め指標をさらに有することができる。
【００３７】
ブロック１００を介してＵＶ硬化型レンズ取り付け接着剤を硬化することが当然望まれると想定すると、本体１０２はＵＶおよび可視波長の光エネルギーを透過するプラスチック材料の如き材料であることが好ましい。ＵＶおよび可視波長外の放射線で硬化する放射線硬化型化合物に関し、他の材料を考慮することができる。
【００３８】
実際問題において、レンズブロック１００が完全な透明体であるよりも、むしろ半透明であることが好ましいことが見いだされた。これは、接着剤の任意の所定領域における光強度によって、ＵＶ硬化型のレンズをブロックする接着剤の硬化の速度および度合いが著しく影響を受けるためである。従って、何らかの遮光作用は異常をもたらす傾向があり、結局は次に続くレンズ面創成におけるレンズ面品質に悪影響を与えよう。
【００３９】
透明というよりもむしろ半透明のレンズブロックは、これによって光の拡散をもたらし、レンズブロックを通り抜けた光をより均一に分散させて何らかの遮光作用を最小にし、これによってより均一な硬化をもたらす。この半透明性は、半透明仕上げ処理，梨地面を持つレンズブロックの成形，表面を「ざらざらにする」サンドブラスト処理，またはレンズブロックが形成される材料への適当な光分散媒体の添加の如き種々の周知の方法の何れかを介して達成可能である。
【００４０】
レンズブロックに適当な光学的特徴を組み込むことにより、ＵＶ化合物に対する光強度の均一性を改善することも可能である。例えば、図２３から図２５に示すように、レンズブロック１００は参照符号１５０にて示されるフレネルレンズをそのベース１０４に組み込むことができる。図２９から図３１に亙り参照符号１５２として示すように、ベースに対してさらなるフレネルレンズをより大量に組み入れることができる。フレネルレンズは、レンズブロック１００の奥行きにほとんど影響を与えず、あるいは平坦面に置くことができるという点で有利であるけれども、他の形状のものもできる可能性がある。
【００４１】
他の光学的特徴が可能である。その特徴の１つが図２６から図２８に示されている。フレネルレンズに代えて単純なレンズ１６０がベース１０４に形成されている。この単純なレンズ１６０による光の拡散を図２８に示す。
【００４２】
ブロック１００の光学系は、特定のブロックにてカバーされるレンズ曲率に基づいて好ましくは最適化されるべきである。レンズ取り付け面１０６の基礎となる湾曲は、それによって支持されるレンズの種類に応じて変更可能である。
【００４３】
ＵＶ化合物に対する光強度の均一性を改善するため、フレネルレンズ１５０または他の特徴を組み入れた改良は、本デブロック機構を持たない透明なレンズブロック１００に応用することができる。例えば、溶媒で剥離する種類のＵＶ硬化型化合物も、改良された結果が同様に得られると思われる。
【００４４】
レンズ２００が図示しない接着剤によってレンズ取り付け面１０６に取り付けられるように示されているが、レンズ２００と取り付け面１０６との間には空間２０２が占めていよう。
【００４５】
デブロッカ１０は、レンズブロック１００を収容するレセプタクル１４が取り付けられたハウジング１２を有している。ブロッククランプ１６の形態のクランプ手段がレセプタクル１４に隣接して設けられ、図示のように固定部１８と、回動軸２２にてこれに回動するように連結される横方向に揺動可能なジョー２０とを有することができ、矢印２４によって示した方向の回動軸２２回りに移動する。このジョー２０は、図１から図４に示した解除位置と図５から図７に示した係合位置との間を移動可能である。
【００４６】
固定部１８およびジョー２０は、ブロック１００の溝１０８と合致するようにそれぞれ内側に突出する突起３０および３２を有する。好ましくは、固定部１８に向けて付勢されるジョー２０に対応してブロックをレセプタクル１４に向けて付勢するため、突起３０および３２は溝１０８の対応するカム面１１２とそれぞれ合致するカム面３４および３６を有する。
【００４７】
ブロック１００を完全に取り囲む溝１０８が必要ではないことは理解されよう。例えば、より短い一対の溝を設けることができ、突起３０および３２を比較的より短くすることができる。レセプタクル１４に対してブロック１００を固定する望ましい作用を持つ他のクランプ手段を用いることも可能であり、例えばブロック１００をレセプタクル１４に螺合させるか、あるいはレセプタクル１４と対応して適当に形成した挟持部によって把持される下方に突出した爪部を設けることができる。
【００４８】
クランプ手段は２つ以上のジョー２０を有することができ、カバー８０を閉じる前の別のステップとしてジョー２０を揺動させる必要があるのを回避するように、カバー８０の動きに応じて解除および係合する方法にて、それぞれのジョー２０をカバー８０に対して操作可能に連結できることがさらに理解されよう。
【００４９】
デブロッカ１０は流体通路１１０の流体入口１１４と合致する流体出口４２を持った流体送出ポート４０をさらに有する。「Ｏ」リング４４の形態のシールを出口４２の周囲に設けることができる。
【００５０】
図１に示すように、ハウジング１２内に取り付け可能なポンプ５０が流体送出ポート４０を介して流体出口４２に流体を導く。このポンプ５０はデブロック流体を入れる入口５２を有する。
【００５１】
デブロック流体は、水または他の適当な非圧縮性流体であって良い。空気の如き圧縮性流体を用いることも可能であるが、これらはデブロックに関してレンズ２００に望ましくない推進力を与える傾向がある。非圧縮性流体がより容易に制御可能な結果をもたらすと思われる。流体は、出口７２および入口７４を有するリザーバ７０に貯溜可能である。
【００５２】
ポンプ５０は手動または電動にて操作可能であるけれども、この例示した実施形態においては、弁ブロック５８に接続する給気口５６から圧縮空気を受け入れ、押しボタン６０によって制御される空気作動ポンプ５０が用いられている。弁ブロック５８は、ポンプ５０の作動を制御するコントローラとして機能し、従って流体出口４２に対するデブロック流体の流れを制御するためにも機能する。
【００５３】
使用中において、レンズブロック１００は、これに装着されるレンズ２００と共にクランプ手段１６によってレセプタクル１４に固定され、流体入口１１４が流体出口４２と合致し、ベース１０４がＯリング４４によってシール状態でレセプタクル１４に係合する。ポンプ５０が作動し、ポンプ入口５２に液体を引き込んで加圧し、これを流体ポート４０に通し、そして流体出口４２を介して吐出する。加圧流体はブロック１００の流体通路１１０に入り、これがレンズ支持面に導かれる。次に、この加圧流体は、レンズ２００をデブロックするためにレンズ支持面１０６と接着剤との間の分離をもたらす。
【００５４】
実際問題として、連続的な圧力下よりもむしろ短い「噴出」または「脈動」にてポンプ５０から流体を供給することが有益であることが見いだされた。完全なデブロックをもたらすというよりもむしろ片側に流体が漏洩するのを回避するため、レンズ支持面１０６に延在すると共に流体流路１１０を取り囲む浅い溝１１６を設けることが有益であることも見いだされた。溝１１６を持たず、中心に集まらない複数の流体通路１１０が安定したデブロックをもたらすことも見いだされた。おそらく、複数の流体通路１１０と溝１１６との組み合わせもまた機能しようが、これはいささか過剰である可能性がある。
【００５５】
レンズ２００をデブロックする時にこれを捕捉し、またレセプタクル１４の周囲からデブロック流体が噴出するのを回避するため、蝶番式にハウジング１２に装着可能なカバー８０が設けられている。このカバー８０は、図１から図４に示すような開放位置と、図５から図７に示す閉鎖位置との間を移動可能である。開放位置において、カバー８０はレセプタクル１４に対するレンズブロック１００およびレンズ２００の設置を可能とする。閉鎖位置におけるカバー，レンズ２００およびレンズブロック１００は、オペレータをレンズ２００およびデブロック流体から遮蔽することである。
【００５６】
カバー８０は、このカバー８０に加えられる閉鎖力に応じその係止位置に向けてジョー２０を付勢するため、ジョー２０の対応するカム面２６に対して作用する円錐台形状のカム面８２を有することができる。
【００５７】
カバー８０は、カバー８０をその閉鎖位置に保つため、ハンドル８４により操作されてハウジング１２に係合させるための掛け金８２を有することができる。
【００５８】
デブロック中にレンズ２００がカバー８０にたたきつけられることにより生ずる可能性があるレンズ２００の損傷を回避するため、レンズ緩衝器８６がカバー８０を閉じた時にレンズ２００と合致するカバー８０内の位置に設けられている。このレンズ緩衝器は、カバー８０とレンズ２００との間に突出する弾性部材であって良い。
【００５９】
このデブロッカ１０を使用流体に関し全損失システムとして作動させることができるが、好ましくはデブロック流体が捕捉されてリザーバ５４に戻されよう。これは、ハウジング１２の上端の排水口５６と、リザーバ７０４へと入口７４に流体を導くハウジング１２からの排水出口６０とを設けることによって達成可能である。再循環が重力または必要に応じてポンプであって良い。代わりに、ハウジング１２それ自体を排液溜めとして機能するように形成することができる。
【００６０】
ブロッキング中にレンズブロック１００の通路１１０にレンズ取り付け接着剤が通るのを回避するため、取り外し可能な充填ピン（図示せず）がブロッキング中に通路１１０を埋めるために使用可能である。
【００６１】
プラスチックレンズブロック１００を使用する利点は、レンズ識別にある。プラスチックは、無線信号を伝達可能であるので、識別コードを有するコード化された情報と、多分レンズの向き，種類，形状のような類に関する他の情報とを持ったＲＦ標識（または「ＲＦＩＤタグ」）３００をレンズブロック１００に埋め込むことができる。従来の金属ブロックは、無線信号を伝えない。ＲＦＴＤタグ３００を収容するレセプタクル３０２がレンズブロック１００に延在していることを示している。
【００６２】
図１４から図１６に亙り、本発明によるレンズブロックの別な実施形態を示している。図１７から図２２に亙り、本発明によるレンズブロックのさらに他の別な実施形態を示している。これら２つの別な実施形態のレンズブロックの特徴のほとんどが上述したレンズブロック１００と同じであるので、類似の部品が類似の参照数字にて番号を付けられ、上述の説明が適用される。
【００６３】
２つの別な実施形態のレンズブロック１００と上述のレンズブロックとの間の大きな相違は、レンズ取り付け面１０６に臨む流体通路１１０への流体応答ピストン１４０の取り付けにある。
【００６４】
図１４から図１９に示すように、通路１１０は、レンズ支持面１０６に直近するピストン１４０を摺動するように収容する穴１３０を入口１１４の反対端に有する。ピストン１４０は、これがレンズ支持面１０６の上に突出するように、通路１１０に沿った流体圧により穴１３０に沿って軸線方向に変位する。
【００６５】
ピストン１４０は、レンズ取り付け面１４６を有し、図１６および図１９に示す格納位置において、これに隣接するレンズ支持面１０６とほぼ同一平面にある。
【００６６】
使用中において、レンズ取り付けブロック１００のピストン部１４０は、本体１０２の穴１３０に嵌合される。レンズ２００（図９から図１９には図示せず）は、上述した前の実施形態のように、レンズ取り付けブロック１００に対して適切なレンズ取り付け接着剤を使って取り付けられる。
【００６７】
レンズ２００をデブロックするため、上述と同様な方法が用いられ、すなわち加圧流体が流体通路１１０に導入される。デブロックは、上述の説明と異なり、レンズ２００に対して直接働く加圧流体の単なる作用ではなく、むしろ流体はピストン１４０に対して大きく作用し、これがレンズ２００の方に向けて穴１３０に沿って軸線方向に動き、レンズ支持面１０６からレンズを押して離す。若干の流体がピストン１４０と穴１４０との間に漏洩する可能性があり、上述とほとんど同じ補助的なデブロック機構として機能しよう。
【００６８】
実際に、ピストン１４０の使用は、ただ単に流体圧を加えるよりも安定したデブロックをもたらすことが確認されている。流体圧のみを用いるだけの場合、デブロックが完了する前に流体が時折漏洩しよう。流体が漏洩通路に出会った途端、デブロックを完了するための充分な圧力を得ることが（可能だとしても）難しくなる。ピストン１４０の使用は、流体の漏洩が大きくなる前に、レンズ２００の最小変位を保証してレンズブロック１００の支配力から離脱する。
【００６９】
実際に、ほとんどの場合、残ったブロック１００からデブロックした後、ピストン１４０はレンズ２００に接着したままとなっていることが確認されている。これは、レンズ２００よりも径が小さく、かつ次の縁取り作業でレンズを取り扱うのに用いることができる把持面をピストンにもたらすので、都合がよい可能性がある。非対称レンズの場合、レンズをフレームに取り付けた時に正しく向きが合わせられている必要があるため、レンズの正しい向きを縁取り作業中に保持しなければならない。従って、レンズ位置合わせ情報をもたらす何らかの措置がピストン１４０になされるべきである。
【００７０】
図１４から図１６に示された実施形態のように、穴１３０内の適当なキー（図示せず）と連係する１つ以上の溝１４２および１４４をピストン１４０に設けることができ、ピストン１４０がその格納位置にある時、ピストン１４０とレンズブロック１０２の本体との間の向きを保持する。これらの溝１４２および１４４を縁取り作業中に用いられるチャックまたは他の保持手段とも合致させることができる。
【００７１】
溝およびキー以外の他の整列指標を利用することができる。例えば、穴１３０およびピストン１４０を他の非円形断面形状の楕円に形成することができる。
【００７２】
上述の説明は、限定的というよりもむしろ例示的な意味を意図している。以下に述べた特許請求の範囲によって規定されるように、記述された的確な装置および方法に対する変更は、本発明の精神および範囲から逸脱することなく、当業者らにとって明白であると言える。
【図面の簡単な説明】
【００７３】
【図１】本発明によるデブロッカの立体投影図である。
【図２】開放形態における図１のデブロッカの上方からの平面図である。
【図３】図２の３−３線に関する断面図である。
【図４】図３における参照記号Ｅにより特定された囲み領域の拡大図である。
【図５】閉鎖形態における図１のデブロッカの上方からの平面図である。
【図６】図５の６−６線に関する断面図である。
【図７】図６における囲み領域Ｆの拡大図である。
【図８】本発明によるレンズブロックの他の実施形態の下方からの立体投影図である。
【図９】図８に対応した図であるが、流体通路およびＲＦＩＤタグを収容する通路を一点鎖線にて示している。
【図１０】図８のレンズブロックの底面図である。
【図１１】図１０に対応した図であるが、図１０において見えない内部の特徴を一点鎖線の輪郭で示している。
【図１２】本発明によるレンズブロックの正面図である。
【図１３】図１２に対応した図であるが、内部の詳細を一点鎖線の輪郭で示している。
【図１４】本発明によるさらなる別なレンズブロックの実施形態の分解立体投影図である。
【図１５】図１４に対応した図であるが、内部の詳細を一点鎖線の輪郭で示している。
【図１６】図１５の１６−１６線に関する断面図である。
【図１６Ａ】図１４のレンズブロックの底面図である。
【図１６Ｂ】図１６Ａの１６Ｂ−１６Ｂ線に関する断面図である。
【図１６Ｃ】図１４のレンズブロックのピストン部分の下方からの立体投影図である。
【図１７】本発明によるレンズブロックのまたさらなる実施形態の分解立体投影図である。
【図１８】図１７に対応した図であるが、内部の詳細を一点鎖線の輪郭で示している。
【図１９】図１８の１９−１９線に関する断面図である。
【図２０】図１７のレンズブロックの底面図である。
【図２１】図２０の２１−２１線に関する断面図である。
【図２２】図１７のレンズブロックのピストン部分の立体投影図である。
【図２３】本発明によるレンズブロックの底部の立体投影図であり、これを通って照射される光を拡散するための光学的特徴としてフレネルレンズを有する。
【図２４】図２３に対応した底面図である。
【図２５】図２４の２５−２５線に関する断面図である。
【図２６】本発明によるレンズブロックの一実施形態の底部立体投影図であり、レンズの硬化中に光を拡散するための特徴として湾曲底面を包含する。
【図２７】図２６に対応した底面図である。
【図２８】図２７の２８−２８線に関する断面図である。
【図２９】図２３のそれと同じレンズブロック形状の底面図であるが、より広範囲に亙るフレネル面を示している。
【図３０】図２９のレンズブロックの底面図である。
【図３１】図３０の３１−３１線に関する断面図である。
【図３２】平らなベースを持ったレンズブロックを通る光の拡散を示す概略断面図である。
【図１】
2004538169.tif 000003
【図２】
2004538169.tif 000004
【図３】
2004538169.tif 000005
【図４】
2004538169.tif 000006
【図５】
2004538169.tif 000007
【図６】
2004538169.tif 000008
【図７】
2004538169.tif 000009
【図８】
2004538169.tif 000010
【図９】
2004538169.tif 000011
【図１０】
2004538169.tif 000012
【図１１】
2004538169.tif 000013
【図１２】
2004538169.tif 000014
【図１３】
2004538169.tif 000015
【図１４】
2004538169.tif 000016
【図１５】
2004538169.tif 000017
【図１６】
2004538169.tif 000018
【図１６Ａ】
2004538169.tif 000019
【図１６Ｂ】
2004538169.tif 000020
【図１６Ｃ】
2004538169.tif 000021
【図１７】
2004538169.tif 000022
【図１８】
2004538169.tif 000023
【図１９】
2004538169.tif 000024
【図２０】
2004538169.tif 000025
【図２１】
2004538169.tif 000026
【図２２】
2004538169.tif 000027
【図２３】
2004538169.tif 000028
【図２４】
2004538169.tif 000029
【図２５】
2004538169.tif 000030
【図２６】
2004538169.tif 000031
【図２７】
2004538169.tif 000032
【図２８】
2004538169.tif 000033
【図２９】
2004538169.tif 000034
【図３０】
2004538169.tif 000035
【図３１】
2004538169.tif 000036
【図３２】
2004538169.tif 000037
【国際公開パンフレット】
2004538169.tif 000038
2004538169.tif 000039
2004538169.tif 000040
2004538169.tif 000041
2004538169.tif 000042
2004538169.tif 000043
2004538169.tif 000044
2004538169.tif 000045
2004538169.tif 000046
2004538169.tif 000047
2004538169.tif 000048
2004538169.tif 000049
2004538169.tif 000050
2004538169.tif 000051
2004538169.tif 000052
2004538169.tif 000053
2004538169.tif 000054
2004538169.tif 000055
2004538169.tif 000056
2004538169.tif 000057
2004538169.tif 000058
2004538169.tif 000059
2004538169.tif 000060
2004538169.tif 000061
2004538169.tif 000062
2004538169.tif 000063
2004538169.tif 000064
2004538169.tif 000065
2004538169.tif 000066
2004538169.tif 000067
2004538169.tif 000068
2004538169.tif 000069
2004538169.tif 000070
2004538169.tif 000071
2004538169.tif 000072
2004538169.tif 000073
2004538169.tif 000074
2004538169.tif 000075
2004538169.tif 000076
2004538169.tif 000077
2004538169.tif 000078
2004538169.tif 000079
2004538169.tif 000080
2004538169.tif 000081
2004538169.tif 000082
2004538169.tif 000083
2004538169.tif 000084
2004538169.tif 000085
2004538169.tif 000086
2004538169.tif 000087
2004538169.tif 000088
2004538169.tif 000089
2004538169.tif 000090
2004538169.tif 000091
2004538169.tif 000092
【国際調査報告】
2004538169.tif 000093
2004538169.tif 000094
2004538169.tif 000095